(57)【要約】【課題】透光性部材越しに撮像装置が被写体を撮影するシステムにおいて、被写体を撮影する確度を向上させること。【解決手段】撮像システムは、自装置が出射する光から偏光成分を透過させる第１偏光素子を有する表示装置と、第１偏光素子が透過させた光の一部を反射し、被写体が反射した光を透過させる透光性部材と、透光性部材において反射された第１偏光素子が透過させた光、および透光性部材において透過され被写体が反射した光のうち、第１偏光素子の偏光透過軸と平行な偏光透過軸の光を透過させる第２偏光素子と、第２偏光素子が透過した光を電気信号に変換する撮像装置と、を備える。【選択図】図１
2014171810.tif 000002
【特許請求の範囲】
【請求項１】
自装置が出射する光から偏光成分を透過させる第１偏光素子を有する表示装置と、
前記第１偏光素子が透過させた前記光の一部を反射し、被写体が反射した光を透過させる透光性部材と、
前記透光性部材において反射された前記第１偏光素子が透過させた光、および前記透光性部材において透過され前記被写体が反射した光のうち、前記第１偏光素子の偏光透過軸と平行な偏光透過軸の光を透過させる第２偏光素子と、
前記第２偏光素子が透過した前記光を電気信号に変換する撮像装置と、
を備えること
を特徴とする撮像システム。
【請求項２】
前記第２偏光素子は、前記表示装置が有する前記第１偏光素子の一部として構成されること
を特徴とする請求項１に記載の撮像システム。
【請求項３】
前記第２偏光素子は、前記撮像装置の光軸上における前記透光性部材と前記撮像装置との間の前記光軸上に配置されること
を特徴とする請求項１または請求項２に記載の撮像システム。
【請求項４】
前記第２偏光素子は、前記表示装置と一体に構成されること
を特徴とする請求項１から請求項３のいずれか一項に記載の撮像システム。
【請求項５】
前記表示装置の周辺に配置される照明装置と、
前記照明装置を制御する制御部と、
をさらに備え、
前記制御部は、前記撮像装置が備える撮像素子の露光タイミングに基づいて前記照明装置を発光させる制御を行うこと
を特徴とする請求項１から請求項４のいずれか一項に記載の撮像システム。
【発明の詳細な説明】
【技術分野】
【０００１】
本発明は、撮像システムに関する。
【背景技術】
【０００２】
遊技場に設置される遊技機や回胴式遊技機などに内蔵された撮像装置によって遊技者を撮影し、撮像した遊技者の画像を遊技機の演出に利用するものがある。例えば、特許文献１に記載の技術は、遊技媒体を用いて遊技を行う遊技機において、遊技者を撮影する撮影手段と、撮影した画像を画像表示装置に表示する画像表示手段とを備えるものである。また、特許文献２に記載の技術は、盤面と所定の間隔で配置された光透過性カバー部材により盤面が覆われた遊技盤に、遊技者を撮影する撮影手段が設けられた遊技機において、光透過性カバー部材の少なくとも片面に、光反射率を低減させる反射防止処理を施すものである。
【先行技術文献】
【特許文献】
【０００３】
【特許文献１】特開平９−１５５０３２号公報
【特許文献２】特開２００４−２６７４２６号公報
【発明の概要】
【発明が解決しようとする課題】
【０００４】
しかしながら、特許文献１に記載の技術を用いても遊技機に備えた撮像装置で遊技者を撮影する際、遊技機が備える表示装置が表示する画像が、表示装置を保護するためのカバーガラスに映り込み、撮像装置が遊技者を撮影することができない場合があった。また、特許文献２に記載の技術を用いても反射防止処理の効果は、光の入射角への依存性があり、入射角が０度でない場合の鏡面反射は十分には防止できない場合があった。また、撮像装置とガラス板との位置関係が固定の場合は、予め撮像装置の画角に対応するガラス板の領域に反射防止処理を施せば良いが、当該領域の面積は大きく、さらに、撮像装置とガラス板との位置関係が未定の場合はガラス板のほぼ全面に反射防止処理を施す必要があり、コスト的にも大きな問題があった。
このように、透光性部材越しに撮像装置が被写体を撮影するシステムにおいて、被写体を撮影できない場合があった。
【０００５】
本発明は上記の点に鑑みてなされたものであり、透光性部材越しに撮像装置が被写体を撮影するシステムにおいて、被写体を撮影する確度を向上させることができる撮像システムを提供することを課題とする。
【課題を解決するための手段】
【０００６】
（１）本発明は上記の課題を解決するためになされたものであり、本発明の一態様は、自装置が出射する光から偏光成分を透過させる第１偏光素子を有する表示装置と、前記第１偏光素子が透過させた前記光の一部を反射し、被写体が反射した光を透過させる透光性部材と、前記透光性部材において反射された前記第１偏光素子が透過させた光、および前記透光性部材において透過され前記被写体が反射した光のうち、前記第１偏光素子の偏光透過軸と平行な偏光透過軸の光を透過させる第２偏光素子と、前記第２偏光素子が透過した前記光を電気信号に変換する撮像装置と、を備えることを特徴とする撮像システムである。
【０００７】
（２）また、本発明の一態様は、前記第２偏光素子は、前記表示装置が有する前記第１偏光素子の一部として構成されることを特徴とする撮像システムである。
【０００８】
（３）本発明の一態様は、前記第２偏光素子は、前記撮像装置の光軸上における前記透光性部材と前記撮像装置との間の前記光軸上に配置されることを特徴とする撮像システムである。
【０００９】
（４）また、本発明の一態様は、前記第２偏光素子は、前記表示装置と一体に構成されることを特徴とする撮像システムである。
【００１０】
（５）また、本発明の一態様は、前記表示装置の周辺に配置される照明装置と、前記照明装置を制御する制御部と、をさらに備え、前記制御部は、前記撮像装置が備える撮像素子の露光タイミングに基づいて前記照明装置を発光させる制御を行うことを特徴とする撮像システムである。
【発明の効果】
【００１１】
本発明によれば、透光性部材越しに撮像装置が被写体を撮影するシステムにおいて、被写体を撮影する確度を向上させることができる。
【図面の簡単な説明】
【００１２】
【図１】本発明の第１の実施形態に係る撮像システムの構成の一例を示す概略図である。
【図２】本実施形態に係る表示装置と、撮像装置と、偏光フィルターとの構成の一例を示す概略ブロック図である。
【図３】本実施形態に係る表示部が備えるＴＮ型液晶ディスプレイの一例を示す説明図である。
【図４】本実施形態に係る表示装置の表示部が備える液晶パネルの構造の一例を示す構造図である。
【図５】本発明の第２の実施形態に係る撮像システムの構成の一例を示す概略図である。
【図６】本実施形態に係る表示装置と、撮像装置と、偏光フィルターとの構成の一例を示す概略ブロック図である。
【図７】本実施形態に係る表示装置の表示制御部および撮像装置の撮像制御部の動作を説明するフローチャートである。
【図８】本発明の第３の実施形態に係る遊技機を正面から見たときの一例を示す正面図である。
【図９】本実施形態に係る遊技機を右側面から見たときの一例を示す右側面図である。
【図１０】本実施形態に係る遊技機の構成の一例を示す概略ブロック図である。
【図１１】本発明の第４の実施形態に係る遊技機の構成の一例を示す概略ブロック図である。
【図１２】本実施形態に係る表示灯制御部が表示灯を制御するときの一例を示すタイミングチャートである。
【発明を実施するための形態】
【００１３】
（第１の実施形態）
以下、図面を参照しながら本発明の第１の実施形態について詳しく説明する。
図１は、本発明の第１の実施形態に係る撮像システムＳ１の構成の一例を示す概略図である。
撮像システムＳ１は、表示装置１と、撮像装置２と、偏光フィルター３と、ガラスや透光性の高い樹脂などから成るショーウインドウ４（透光性部材）とを含んで構成される。
表示装置１と、撮像装置２と、偏光フィルター３とは、ショーウインドウ４を挟み、表示装置１に表示される広告などを観察する被写体５と対向するように設置される。具体的には、表示装置１は、被写体５から良好に観察可能な位置、（例えば、表示装置１の表示部とショーウインドウ４とが並行で、一般的な大人の目の高さ（例えば、床面から１〜１．５ｍの高さ）で壁面など）に設置される。表示装置１とショーウインドウ４との間の距離は、当該距離が近いほど被写体５からの視認性を向上させることができ、表示装置１の転倒防止を考慮して表示装置１を壁などに支持する支持部を汎用的に製作すると、表示装置１の大きさにもよるが、例えば、１０ｃｍ以上の距離となる。なお、表示装置１は、壁などに埋め込んで設置してもよい。
【００１４】
被写体５とショーウインドウ４との間の距離を規定することはできないが、表示装置１の表示内容に被写体５が興味を持ち立ち止まる状況を考えると、例えば、２ｍ以内である。表示装置１は、風雨に曝されることを防ぐため、いたずらや盗難の問題を回避するなど表示装置１を保護するためにショーウインドウ４の内側（被写体５とショーウインドウ４を挟んだ反対側）に設置する。
また、撮像装置２は、例えば、表示装置１の上部に備えられ、被写体５を撮影できる位置および角度で備えられる。また、撮像装置２のレンズの前方には偏光フィルター３が備えられる。なお、本実施形態において、表示装置１の上部に撮像装置２が備えられるとしているが表示装置１の下部であってもよい。また、撮像装置２は、ショーウインドウ４を挟んで被写体５と対向する側、すなわち表示装置１と同じ側に備えられ、かつ被写体５を撮影できる位置であれば、どこに備えられても構わない。
【００１５】
図２は、本実施形態に係る表示装置１と、撮像装置２と、偏光フィルター３との構成の一例を示す概略ブロック図である。
表示装置１は、表示部１１と、表示制御部１２と、画像記憶部１３と、記憶部１４とを含んで構成される。表示装置１は、その他一般的な表示装置の機能を有するが図示および説明は省略する。
表示部１１は、テレビやパソコンなどのディスプレイとして広く使用されている、液晶ディスプレイ、有機ＥＬディスプレイ、またはプラズマディスプレイなどのいずれか一つを備える。本実施形態では、一例として液晶ディスプレイを備える。本実施形態において、表示部１１は、例えば、ＴＮ（Ｔｗｉｓｔｅｄ  Ｎｅｍａｔｉｃ：ねじれネマティック）型の液晶ディスプレイを用いる。図３を参照して、ＴＮ型の液晶ディスプレイの原理を説明する。
【００１６】
図３は、本実施形態に係る表示部１１が備えるＴＮ型液晶ディスプレイの一例を示す説明図である。
偏光フィルター１１１ａと偏光フィルター１１２ａとは、光が通らないように偏光方向が直交し、その間に、ねじれた液晶を挟む。偏光フィルター１１１ａから入った光は、液晶分子の隙間に沿って９０度ねじれるため、偏光フィルター１１２ａを通過できる。電圧を印加すると、液晶分子が直立してねじれが取れ、偏光フィルター１１１ａから入った光は、そのまま下に向かうため、偏光フィルター１１２ａを通過できない。ＴＮ型液晶ディスプレイは、電圧非印加時の場合、光が通過し、電圧印加時の場合、光が通過できず、遮断され、画面上では黒くなる。すなわち、ＴＮ型液晶ディスプレイは、電圧が引き金となり、液晶が光のシャッターの機能を果たす。また、ＴＮ型液晶ディスプレイは、２枚の偏光フィルター１１１ａ、１１２ａに挟まれた液晶モジュール１１３ａを、バックライトモジュール（図示せず）を用いて照明することで画像を表示し、出射される光は直線偏光となる。
【００１７】
図２に戻って、表示部１１は、後述の表示制御部１２によって制御され、表示制御部１２によって画像記憶部１３に記憶されている画像情報が順次、表示部１１へ転送され、静止画や動画を表示する。
表示制御部１２は、汎用マイクロプロセッサや表示装置用のＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ：特定用途向け集積回路）を含んで構成され、予め記憶部１４に記憶された設定値やプログラムなどに基づき表示部１１に文字、画像や動画などを表示させる。表示制御部１２は、表示部１１に様々な解像度の画像を表示させるために、表示部１１の解像度に合わせて、内蔵するＶＲＡＭ（Ｖｉｄｅｏ  ＲＡＭ：ビデオラム）と呼ばれる画像データ蓄積用のメモリに画像記憶部１３が記憶する画像データを書き込む。また、表示制御部１２は、内蔵するＶＲＡＭから画像データを読み出し、表示部１１に表示させる。
【００１８】
画像記憶部１３は、不揮発性メモリや磁気記録装置を含み、画像情報、静止画や動画などの画像データを記憶する。
記憶部１４は、ＲＯＭ（Ｒｅａｄ  Ｏｎｌｙ  Ｍｅｍｏｒｙ：ロム）などで構成され、表示装置１を動作させるためのプログラムや各種データを記憶する。
【００１９】
なお、本実施形態において、画像記憶部１３は、予め画像情報を記憶するとしているが、通信部を備えて、表示制御部１２が有線または無線で静止画や動画などの画像データ、画像情報などを取得し、画像記憶部１３に記憶させてもよい。
【００２０】
次いで、撮像装置２の構成について説明する。
撮像装置２は、偏光フィルター３が透過した光を電気信号に変換する。
撮像装置２は、レンズ２１と、撮像部２２と、撮像制御部２３と、記憶部２４と、画像蓄積部２５とを含んで構成される。撮像装置２は、その他一般的な撮像装置の機能を有するが図示および説明は省略する。
本実施形態に係るレンズ２１は、近距離（例えば、ショーウインドウ４と被写体５との間の距離が２ｍ以内の位置）にいる被写体５を撮影可能な、３５ｍｍフィルム換算の焦点距離で言えば５０ｍｍ以下の広角レンズが望ましい。
撮像部２２は、ＣＣＤ（Ｃｈａｒｇｅ  Ｃｏｕｐｌｅｄ  Ｄｅｖｉｃｅ：シーシーディー）撮像素子やＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ：シーモス）撮像素子などの撮像素子と、当該撮像素子を駆動するための電子回路からなる。
【００２１】
撮像制御部２３は、汎用マイクロプロセッサや撮像装置２専用のＡＳＩＣを含んで構成され、予め記憶部２４が記憶する解像度、フレームレート、露光時間（シャッター速度）、およびゲインなどの設定値に基づき、撮像部２２の駆動を開始させる。また、撮像制御部２３は、撮像部２２から入力される画像データを監視し、露出調整を随時、適切に行う。撮像制御部２３は、自動で露出調整を行うために、全撮像領域、あるいは、所定領域の画素値をフレームごとに積算することで明るさ評価値を算出する。撮像制御部２３は、算出した明るさ評価値と予め記憶部２４が記憶する目標値とを比較し、明るさ評価値が目標値の所定の範囲内に収まるように、シャッター速度やゲインなどの露出調整を行う。例えば、明るさ評価値が目標値の所定の範囲を下回った場合、撮像制御部２３は、シャッター速度を遅くすることで明るさ評価値を増加させる。シャッター速度が最大値に達しても明るさが目標値の所定の範囲に収まらない場合、撮像制御部２３は、ゲインの上限値を限度としてゲインを増加させることで明るさの調整を行う。
これにより、撮像装置２は、目標値を大きくすると画像を明るく調整でき、目標値を小さくすると画像を暗く調整できる。
【００２２】
記憶部２４は、ＲＯＭなどで構成され、解像度、フレームレート、露光時間、ゲインなどの設定値と、露光調整のための目標値とを記憶する。
画像蓄積部２５は、不揮発性メモリや磁気記録装置から成り、静止画や動画を画像データとして記憶する。なお、本実施形態において画像蓄積部２５を撮像装置２の構成として備えるとしているが、画像蓄積部２５の代わりに撮像装置２の外部への出力インターフェース（図示せず）または通信部（図示せず）を備え、撮像装置２の外部の機器へデータを有線または無線で送信する構成であってもよい。
【００２３】
次に、偏光フィルター３について説明する。
現在主流の撮像素子であるＣＣＤ撮像素子やＣＭＯＳ撮像素子は、可視光波長から近赤外線にわたり幅広い感度を有しており、色鮮やかなカラー画像を描画することができる。しかしながら、光電変換素子自体は、偏光に対して感度を有していない。太陽光は、無偏光であるが、その光が反射または散乱した光には反射面の表面状態に起因した偏光成分が含まれる。例えば、空気を通過した、または雪に反射された太陽光は、特定の方向に偏った偏光成分が多く含まれる。その他、ショーウインドウ４などのガラスや透光性の高い樹脂を挟んだ撮像装置２での撮影、水面や湖面での撮像装置２の撮影など、界面を挟んで撮像装置２で撮影を行う場合、偏光成分が含まれる。このため、偏光成分と無偏光成分とを分離することで、画像のコントラストを改善することができ、不要な情報を削除することもできる。例えば、風景写真において青空をより群青に見せたいときや、ショーウインドウ４の反射成分を除去したい場合などに、偏光素子は有用である。このような偏光成分と無偏光成分との分離のためには、レンズ２１の前面に偏光フィルター３を装着し、偏光フィルター３を回転させることで偏光成分を強調、または、低減し、撮像装置２で撮影を行う。
【００２４】
撮像装置２の光軸上に偏光フィルター３を設置し、偏光フィルター３の透過軸と直交する偏光は、偏光フィルター３を通過できない。本実施形態において、偏光フィルター３を用いるとしているが、偏光フィルター３が無い場合、撮像装置２の撮影画像には、ショーウインドウ４の外側の被写体５と、被写体５の背景と、ショーウインドウ４に映り込んだ表示装置１に表示された画像が含まれる。特に、ショーウインドウ４の被写体５側と表示装置１側とを比較し、被写体５側が暗い場合、表示装置１が表示する画像は、鮮明にショーウインドウ４に映り込む。このため、撮像装置２は、被写体５を撮影できない場合がある。
【００２５】
表示装置１が表示する画像のショーウインドウ４への映り込みは、表示装置１から出射されショーウインドウ４の表面で鏡面反射して撮像装置２へ向かう光であり、表示装置１から放射される光と同様に偏光である。ただし、その透過軸の方向は、表示装置１の出射側偏光素子の透過軸と直交している。界面反射における、電気ベクトルが入射面に垂直に振動する光の成分における反射係数の位相は、入射角度に依存せず入射波に対して反射波の位相が反転する。これを偏光の透過軸に置き換えて表すと、撮像装置２の光軸周りに透過軸が９０度回転する。
図１のように偏光フィルター３が撮像装置２のレンズ２１の前面に設置されている場合、偏光フィルター３の透過軸と直交する偏光は、偏光フィルター３において除去され、偏光フィルター３を透過できない。このため、偏光フィルター３の設置は、偏光フィルター３の偏光透過軸と表示装置１の偏光透過軸とが平行になるように設置することで、撮像装置２での撮影の際に偏光フィルター３の設置方向を調整することなく、ショーウインドウ４での不要な映り込みを除去することができ、被写体５を明瞭に撮影することができる。ここで、平行とは、完全に平行な状態だけでなく、平行を基準として予め定められた角度、平行からずれた場合も含む。
【００２６】
偏光フィルター３を撮像装置２のレンズ２１の先端に固定する構成、すなわち、偏光フィルター３を撮像装置２と一体として構成する場合は、偏光フィルター３とレンズ２１との間から、撮像装置２での撮影に有害な不要光（例えば、偏光など）が入射しないが、撮像装置２の設置角度により、偏光フィルター３と表示装置１の偏光素子の透過軸方向とが平行にならない可能性がある。
なお、偏光フィルター３は、表示装置１の筺体に取り付け、偏光フィルター３を表示装置１と一体として構成してもよい。この場合、表示装置１や撮像装置２を移動した場合においても表示装置１内の偏光素子（出射側偏光フィルム１１７）と偏光フィルター３の透過軸の角度が変わらないため、撮像装置２の撮影画角から偏光フィルター３が外れないように撮像装置２を設置すればよく、撮像装置２の設置における自由度が増すとともに撮像装置２の設置自体が容易になる。
【００２７】
図４は、本実施形態に係る表示装置１の表示部１１が備える液晶パネルの構造の一例を示す構造図である。
図４（ａ）（ｂ）に示すように、表示装置１の表示部１１が備える液晶パネルは、入射側出射側偏光フィルム１１０と、ガラス基盤１１１と、透明電極１１２と、配向膜１１３と、液晶１１４と、カラーフィルター１１５と、ガラス基盤１１６と、出射側偏光フィルム１１７とを含んで構成される。液晶パネルは、入射側出射側偏光フィルム１１０と出射側偏光フィルム１１７との間の層にガラス基盤１１６を設け、ガラス基盤１１６と入射側出射側偏光フィルム１１０との間の層にカラーフィルター１１５を設け、カラーフィルター１１５と入射側出射側偏光フィルム１１０との間の層に一対のガラス基盤１１１を設ける。また、ガラス基盤１１１の内部には、一対の透明電極１１２を設け、その間に液晶１１４を設ける構造である。
バックライト（図示せず）から放射された光は、液晶パネルを入射側出射側偏光フィルム１１０、ガラス基盤１１１、透明電極１１２、配向膜１１３、液晶１１４、配向膜１１３、透明電極１１２、ガラス基盤１１１、カラーフィルター１１５、ガラス基盤１１６、出射側偏光フィルム１１７の順に通過する。
【００２８】
図４（ｂ）に示すように、液晶パネルの出射側偏光フィルム１１７とガラス基盤１１６とを含む領域１１８を、その他の層（入射側出射側偏光フィルム１１０、ガラス基盤１１１、透明電極１１２、配向膜１１３、液晶１１４、配向膜１１３、透明電極１１２、ガラス基盤１１１、カラーフィルター１１５）よりも大きく構成して、出射側偏光フィルム１１７とガラス基盤１１６とを含む領域１１８を偏光フィルター３の代わりとして用いる構成であってもよい。この出射側偏光フィルム１１７とガラス基盤１１６とを含む領域１１８を偏光フィルター３の代わりとして用いる構成では、表示装置１と、撮像装置２と、偏光フィルター３と、を製造者が一体として構成することができ、使用者は、表示装置１と撮像装置２とを設置するときに偏光軸の向きや光軸の向きを気にする必要が無く、撮像装置２の設置における自由度が増すとともに撮像装置２の設置自体が容易になる。
【００２９】
このように、本実施形態によれば、撮像システムＳ１は、自装置が出射する光から偏光成分を透過させる第１偏光素子（出射側偏光フィルム１１７）を有する表示装置１と、第１偏光素子（出射側偏光フィルム１１７）が透過させた光の一部を反射し、被写体５が反射した光を透過させる透光性部材（ショーウインドウ４）と、透光性部材（ショーウインドウ４）において反射された第１偏光素子（出射側偏光フィルム１１７）が透過させた光、および透光性部材（ショーウインドウ４）において透過され被写体５が反射した光のうち、第１偏光素子（出射側偏光フィルム１１７）の偏光透過軸と平行な偏光透過軸の光を透過させる第２偏光素子（偏光フィルター３）と、第２偏光素子（偏光フィルター３）が透過した光を電気信号に変換する撮像装置２と、を備える。
【００３０】
これにより、透光性部材越しに撮像装置が被写体を撮影するシステムにおいて、表示装置１が表示する画像が表示装置１を保護するための透光性部材（ショーウインドウ４）に映り込む環境においても、被写体を撮影することができ、被写体を撮影する確度を向上させることができる。また、透光性部材に反射防止コート（反射防止処理）を行う必要がないため、コストを低減することができる。
【００３１】
（第２の実施形態）
以下、図面を参照しながら本発明の第２の実施形態について詳しく説明する。
第２の実施形態では、撮像装置２ａが表示装置１ａの輝度を調整する場合について説明する。
図５は、本発明の第２の実施形態に係る撮像システムＳ２構成の一例を示す概略図である。
表示装置１ａと撮像装置２ａとは、例えば、シリアル通信方式のインターフェースの一つであるＲＳ−２３２（Ｒｅｃｏｍｍｅｎｄｅｄ  Ｓｔａｎｄａｒｄ  ２３２）規格など
で接続される。撮像システムＳ２における表示装置１ａと、撮像装置２ａと、偏光フィルター３と、ショーウインドウ４と、被写体５の配置などは、第１の実施形態における撮像システムＳ１と同様であるので、説明は省略される。
【００３２】
図６は、本実施形態に係る表示装置１ａと、撮像装置２ａと、偏光フィルター３との構成の一例を示す概略ブロック図である。
表示装置１ａと撮像装置２ａとは、ＲＳ−２３２規格の通信方式で接続されているため、輝度情報などを通信する。表示装置１ａと撮像装置２ａとは、例えば、輝度情報が２５６段階であれば、調歩同期式などの簡易な通信方式で送受信を行う。ここで、調歩同期式の通信方式とは、送受信機間で通信速度と、データビット数と、ノイズなどによるデータの誤りの判定のための付加ビットであるパリティビット種別と、１単位の通信終了を示すストップビットの数とを統一することで、タイミングをとるための同期クロック線を不要とする通信方式である。例えば、本実施形態では、通信速度＝９６００ｂｐｓ（ｂｉｔ  ｐｅｒ  ｓｅｃｏｎｄｓ：ビット毎秒）、データビット数＝８ビット、パリティビット＝なし、ストップビットの数＝１ビットとする。ここで、スタートビットからストップビットまでが、１バイト分のデータ転送となる。
【００３３】
非データ転送時は、ハイレベル（以下、Ｈレベルと称する。）、例えば、マイクロプロセッサの電源電圧が５Ｖや３Ｖとすると、データ転送時は、データを送信する送信側が、スタートビットと呼ばれる一定期間ローレベル（以下、Ｌレベルと称する。）、例えば、マイクロプロセッサの電源電圧が０Ｖのパルスを出す。該データを受信する受信側は、このスタートビット、すなわち、ＨレベルからＬレベルになったことを検出すると、データ転送が開始されると認識する。また、受信側は、スタートビットが終了すると、すなわちＬレベルからＨレベルになったことを検出すると、次に転送したい１バイトのデータのうち、下位のビットから順に転送する。例えば、０１を送信する場合、まず０に対応する一定期間Ｈレベル（５Ｖ）、次いで１に対応する一定期間Ｌレベル（０Ｖ）として、１バイトが送られる。
【００３４】
表示装置１ａは、表示部１１と、表示制御部１２ａと、画像記憶部１３と、記憶部１４とを含んで構成される。第１の実施形態に係る表示装置１と第２の実施形態に係る表示装置１ａとを比較すると、表示制御部１２ａの動作が異なる。それ以外の構成、および動作は同様であるので説明は省略する。
表示制御部１２ａは、ＰＷＭ（Ｐｕｌｓｅ  Ｗｉｄｔｈ  Ｍｏｄｕｌａｔｉｏｎ：パルス幅変調）制御によりバックライト（図示せず）を制御する。ここで、ＰＷＭ制御とは、電流スイッチにおけるＯＮ−ＯＦＦの比率を変えることで、直流または交流の電源から実効値として任意の電圧や電流を擬似的に作り出す電源回路の制御方式である。例えば、あるパルスから次のパルスまでの間隔を１０分割し、ＯＮ：ＯＦＦ比を２：８とすれば元の電圧の２／１０、つまり１／５となり、ＯＮ：ＯＦＦ比が８：２とすれば元の電圧の８／１０、つまり４／５の電圧となる。表示制御部１２ａは、現在の輝度段階を示すＯＮ：ＯＦＦ比を表す情報としてＯＮのパルスの回数を輝度インデックスとして、撮像装置２ａに送信する。
【００３５】
表示制御部１２ａは、本実施形態の撮像システムＳ２が起動されると、画像記憶部１３から、予め記憶された画像データを読み出し、予め規定されたバックライト制御の設定値を記憶部１４から読み出し、当該設定値に基づいて表示部１１を駆動し、画像データを表示させる。表示制御部１２ａは、撮像装置２ａから受信した指示信号に基づいて、ＰＷＭ制御により表示部１１のバックライトの駆動平均電圧を上昇または低下させることで、バックライトの輝度の調整を行う。表示制御部１２ａは、バックライトの輝度の調整を完了すると、バックライトの輝度の変更が完了したことを表す輝度変更完了信号を撮像制御部２３ａに送信する。
【００３６】
第１の実施形態に係る撮像装置２と第２の実施形態に係る撮像装置２ａとを比較すると、撮像制御部２３ａの動作が異なる。それ以外の構成および動作は同様であるので、説明は省略する。
撮像制御部２３ａは、表示装置１ａから輝度インデックスとして表示装置１ａから受信したＯＮのパルスの回数に基づいて、表示部１１の輝度を推定する。撮像制御部２３ａは、明るさ評価値により、表示部１１が備えるバックライトの輝度を上昇または低下させることを指示する指示信号を生成し、生成した指示信号を表示制御部１２ａに送信する。具体的には、明るさ評価値が目標値の所定の範囲を下回った場合、撮像制御部２３ａは、シャッター速度を遅くすることで明るさ評価値を増加させる。シャッター速度が最大値に達しても目標値の所定の範囲に収まらない場合、撮像制御部２３ａは、ゲインの上限値を限度としてゲインを増加させることで露出調整を行う。
【００３７】
一方、明るさ評価値が目標値の所定の範囲を上回った場合、撮像制御部２３ａは、シャッター速度を早くし明るさ評価値を減少させる。シャッター速度が最小値に達しても目標値の所定の範囲に収まらない場合、撮像制御部２３ａは、ゲインの下限値を限度としてゲインを減少させることで露出調整を行う。シャッター速度の調整やゲインの調整などによる露出調整を行っても目標値の所定の範囲内の明るさ評価値でない場合、撮像制御部２３ａは、表示装置１ａの表示制御部１２ａに表示部１１の輝度を１段階上昇させる指示信号を送信する。
また、明るさ評価値が目標値の所定の範囲を上回っている場合、撮像制御部２３ａは、表示制御部１２ａにバックライトの輝度を１段階低下させる指示信号を送信する。撮像制御部２３ａは、表示制御部１２ａから輝度変更完了信号を受信すると再度、露光調整を行う。
【００３８】
図７は、本実施形態に係る表示装置１の表示制御部１２ａおよび撮像装置２ａの撮像制御部２３ａの動作を説明するフローチャートである。
ステップＳＴ１０１において、撮像制御部２３ａは、予め記憶部２４に記憶された解像度、フレームレート、露光時間、および、ゲインなどの設定値を読み出し、撮像部２２を駆動させ、撮影を開始させる。
ステップＳＴ１０２において、撮像制御部２３ａは、自動で露出調整を行うために、撮像部２２から入力される画像データの全撮像領域、あるいは、所定領域の画素値をフレームごとに積算することで明るさ評価値を算出する。
ステップＳＴ１０３において、撮像制御部２３ａは、算出した明るさ評価値と、記憶部２４から読み出した目標値とを比較し、明るさ評価値が目標値の所定の範囲内か否かを判定する。明るさ評価値が目標値の所定の範囲内でない場合（Ｎｏ）、ステップＳＴ１０４。一方、明るさ評価値が目標値の所定の範囲内である場合（Ｙｅｓ）、露出調整を終了する。
ステップＳＴ１０４において、撮像制御部２３ａは、露光時間の調整やゲインの調整などによる露出調整が可能か否かを判定する。露出調整が可能である場合（Ｙｅｓ）、ステップＳＴ１０５に進み、露出調整が可能でない場合（Ｎｏ）、ステップＳＴ１０６に進む。
【００３９】
ステップＳＴ１０５において、例えば、明るさ評価値が目標値の所定の範囲を下回った場合、撮像制御部２３ａは、シャッター速度を遅くすることで明るさ評価値を増加させる。シャッター速度が最大値に達しても目標値の所定の範囲に収まらない場合、撮像制御部２３ａは、ゲインの上限値を限度としてゲインを増加させることで露出調整を行う。一方、明るさ評価値が目標値の所定の範囲を上回った場合、撮像制御部２３ａは、シャッター速度を早くし明るさ評価値を減少させる。シャッター速度が最小値に達しても目標値の所定の範囲に収まらない場合、撮像制御部２３ａは、ゲインの下限値を限度としてゲインを減少させることで露出調整を行う。これにより、目標値を大きくすると画像を明るく調整でき、目標値を小さくすると画像を暗く調整できる。
【００４０】
ステップＳＴ１０６において、撮像制御部２３ａは、表示装置１ａの表示部１１が備えるバックライトの調整が可能か否かを判定する。バックライトの調整が可能である場合（Ｙｅｓ）、ステップＳＴ１０７に進む。一方、バックライトの調整が可能でない場合（Ｎｏ）、撮像制御部２３ａは、露出調整を終了する。
ステップＳＴ１０７において、例えば、夜間に撮像装置２ａが撮影するとき、シャッター速度の調整やゲインの調整などによる露出調整を行っても目標値の所定の範囲内の明るさ評価値でない場合、撮像制御部２３ａは、表示装置１ａの表示制御部１２ａに表示部１１の輝度を１段階上昇させる指示信号を送信する。表示制御部１２ａは、撮像装置２ａから表示部１１の輝度の段階を１段階上昇させる旨の指示信号を受信すると、ＰＷＭ制御により表示部１１のバックライトの駆動平均電圧を１段階上昇させ、撮像制御部２３ａにバックライトの輝度の変更が完了したことを表す輝度変更完了信号を送信する。
【００４１】
また、明るさ評価値が目標値の所定の範囲を上回っている場合、撮像制御部２３ａは、表示制御部１２ａにバックライトの輝度を１段階低下させる指示信号を送信する。表示制御部１２ａは、撮像制御部２３ａからバックライトの輝度を１段階低下させる旨の指示信号を受信すると、ＰＷＭ制御によりバックライトの駆動平均電圧を１段階低下させ、表示部１１の輝度を下げる。表示制御部１２ａは、バックライトの輝度を１段階低下させると、バックライトの輝度の変更が完了したことを表す輝度変更完了信号を撮像制御部２３ａに送信する。撮像制御部２３ａは、表示制御部１２ａから輝度変更完了信号を受信するとステップＳＴ１０２に戻る。
【００４２】
表示装置１ａのバックライトの輝度の増加により、ショーウインドウ４での反射光量も増加するが、第１の実施形態において詳述したように、ショーウインドウ４での反射光は、偏光フィルター３を通過できないため撮像装置２ａの撮影に影響なく、ショーウインドウ４を透過して被写体５を照らす光量の増加分だけ撮像装置２ａが撮影する画像が明るくなる。
このように、撮像制御部２３ａが露出調整のための明るさ評価値の算出を常時行い、表示制御部１２ａのバックライトの輝度を管理することで、撮像装置２ａは、ショーウインドウ４を挟んでも被写体５を良好に撮影することができる。また、撮像システムＳ２において、撮像装置２ａが被写体５を撮影するときに、被写体５に対して照射する照明装置を設置する必要が無いため、被写体５に撮像装置２ａが撮影していることを意識させずに撮影することができ、表示部１１が広告を表示するときに好ましい照明を実現可能である。
【００４３】
このように、本実施形態によれば、撮像システムＳ２は、自装置が出射する光から偏光成分を透過させる第１偏光素子（出射側偏光フィルム１１７）を有する表示装置１ａと、第１偏光素子（出射側偏光フィルム１１７）が透過させた光の一部を反射し、被写体５が反射した光を透過させる透光性部材（ショーウインドウ４）とを備える。また、撮像システムＳ２は、透光性部材（ショーウインドウ４）において反射された第１偏光素子が透過させた光、および透光性部材（ショーウインドウ４）において透過され被写体５が反射した光のうち、第１偏光素子（出射側偏光フィルム１１７）の偏光透過軸と平行な偏光透過軸の光を透過させる第２偏光素子（偏光フィルター３）と、第２偏光素子（偏光フィルター３）が透過した光を電気信号に変換する撮像装置２ａと、を備える。
【００４４】
これにより、透光性部材（ショーウインドウ４）越しに撮像装置２ａが被写体５を撮影する撮像システムＳ２において、表示装置１ａが表示する画像が表示装置１ａを保護するための透光性部材（ショーウインドウ４）に映り込む環境においても、被写体５を撮影することができ、被写体５を撮影する確度を向上させることができる。
【００４５】
また、透光性部材（ショーウインドウ４）は、第１偏光素子（出射側偏光フィルム１１７）が透過させた光の一部を透過させて、被写体５へ導き、撮像装置２ａは、表示装置１ａの画素値をフレームごとに積算することで明るさ評価値を算出し、当該明るさ評価値と予め記憶された目標値とに基づいて表示装置１ａが出射する光の輝度を制御する。
【００４６】
これにより、撮像装置２ａは、明るさ評価値と目標値とに基づいて、表示装置１ａの輝度を制御することで、被写体５を照明する照明装置として表示装置１ａの光を利用することができ、照明装置を用いることなく被写体５を撮影することができ、被写体５を撮影する確度を向上させることができる。
【００４７】
（第３の実施形態）
以下、図面を参照しながら本発明の第３の実施形態について詳しく説明する。
第３の実施形態では、第１の実施形態において説明した撮像システムＳ１を遊技機に応用した場合について説明する。
図８は、本発明の第３の実施形態に係る遊技機１００を正面から見たときの一例を示す正面図である。
図９は、本実施形態に係る遊技機１００を右側面から見たときの一例を示す右側面図である。
遊技機１００の中央上部には、遊技盤９３が設置される。遊技盤９３の中央には、表示装置９１が配置される。表示装置９１は、例えば、液晶ディスプレイであり、当該液晶ディスプレイには特別図柄の抽選や各種演出などのアニメーションを表示する。表示装置９１の下方中央には、撮像装置９４が配置される。撮像装置９４の光軸上の撮像装置９４の前面には偏光フィルター９５が配置され、当該偏光フィルター９５の偏光透過軸と表示装置９１の偏光透過軸とが平行に設置される。撮像装置９４は、遊技機１００の正面に着座する遊技者２００の顔と向かい合い、遊技者２００の顔を撮影することが可能な向きで設置される。
【００４８】
表示装置９１と、撮像装置９４の周囲には、遊技球（図示せず）が表示装置９１の前方や、撮像装置９４の撮像光路内に侵入しないように、樹脂製のカバー９８が遊技盤９３に固定される。カバー９８の外周には、遊技球が通過する遊技領域９７があり、遊技領域９７の外周部には、ガイドレール９６が配置される。遊技領域９７には、複数の釘８９が配置され、始動口９９などもが配置される。遊技盤９３の前面には、ガラス扉９２が開閉可能に設置されており、遊技機１００の設置やメンテナンス時を除き、遊技領域９７は、前後を遊技盤９３とガラス扉９２に挟まれ、上下左右をガイドレール９６、カバー９８に囲まれた空間となっている。
また、遊技盤９３の上部および表示装置９１の上部などには、表示灯９０が備えられ、表示装置９１に表示されるアニメーションと連動して点滅する。また、遊技機１００の中央下部右側には、スピーカー８８が配置され、表示装置９１に表示されるアニメーションおよび表示灯９０と連動して音声を出力する。
【００４９】
図１０は、本実施形態に係る遊技機１００の構成の一例を示す概略ブロック図である。
遊技機１００は、主制御部５０と、副制御部６０と、スピーカー８８と、表示灯９０と、表示装置９１と、撮像装置９４とを含んで構成される。副制御部６０は、払出制御部６１と、音声制御部６２と、表示灯制御部６３と、表示制御部６４と、撮像制御部６５と、発射制御部６６とを含んで構成される。
主制御部５０は、遊技や演出に関する基本プログラムが内蔵する記憶部（図示せず）に記憶され、副制御部６０に各種指示信号を出力する。副制御部６０は、主制御部５０から入力される指示信号に基づいて、払出制御部６１と、音声制御部６２と、表示灯制御部６３と、表示制御部６４と、撮像制御部６５と、発射制御部６６とを制御する。
【００５０】
払出制御部６１は、賞球の払い出し・停止動作及び払出数を制御する。音声制御部６２は、スピーカー８８を制御し、効果音などの出力を制御する。表示灯制御部６３は、各表示灯９０の点灯・消灯を制御する。発射制御部６６は、遊技者の操作により遊技球の発射を制御する。
撮像制御部６５は、主制御部５０から撮影を指示する指示信号が入力されると、撮像装置９４に撮影させる。撮像制御部６５は、撮像装置９４から入力された画像信号に基づき、画像データを生成する。撮像制御部６５は、画像データに対し所定の画素補間処理や色変換処理などを施し、表示制御部６４に出力する。
【００５１】
表示制御部６４は、表示装置９１に表示させる特別図柄抽選や各種演出などのアニメーションの表示を制御する。表示制御部６４は、主制御部５０から入力された画像の合成を指示する指示信号に基づいて、撮像制御部６５から入力された画像データと、表示装置９１に表示させるアニメーションの映像データとを合成し、例えば、当り図柄表示後のアニメーションに、撮影した遊技者の顔画像を合成し、表示装置９１に表示させる。
表示装置９１は、第１の実施形態における表示部１１と同様の表示部を備えるが、図示および説明は省略する。
【００５２】
図１０に示すように、撮像装置９４と遊技者２００との間にはガラス扉９２が存在し、ガラス扉９２の撮像装置９４側には、表示装置９１が存在する。このため、ガラス扉９２の遊技者２００側が表示装置９１側と比べて暗い場合、表示装置９１が表示する画像は、鮮明にガラス扉９２に映り込み、遊技者を撮影できないことがある。
本実施形態の遊技機１００の構成では、撮像装置９４の前面に偏光フィルター９５として偏光素子が設置してあり、偏光素子の透過軸と直交する偏光は偏光素子を通過することができない。偏光素子が無い場合、撮像装置９４の撮影画像は、ガラス扉９２の外側の遊技者２００と、遊技者２００の背景と、ガラス扉９２に映り込んだ表示装置９１に表示された画像が含まれる。この映り込みは、表示装置９１から出射された光がガラス扉９２で鏡面反射し、撮像装置９４に到達した光によるもので、表示装置９１から放射される光と同様に偏光である。ただし、当該偏光の透過軸の方向は、表示装置９１の出射側偏光素子の透過軸と直交する。鏡面反射における、電気ベクトルが入射面に垂直に振動する光の成分における反射係数の位相は、入射角度に依存せず入射波に対して反射波の位相が反転する。これを偏光の透過軸に置き換えると、光軸周りに透過軸が９０度回転することを表している。
【００５３】
図１０に示すように偏光フィルター９５として偏光素子が配置する場合、偏光素子の透過軸と直交する偏光は、偏光素子を透過できない。このため、偏光素子の設置方向は、偏光素子の偏光透過軸と表示装置９１の偏光透過軸とを平行にして設置することで、撮像装置９４が撮影するときに偏光素子の設置方向を調整することなく、ガラス扉９２での不要な映り込みを除去することができ、遊技者２００を明瞭に撮影できる。
【００５４】
なお、偏光フィルター９５を撮像装置９４の前面に固定してもよい。この場合、偏光フィルター９５と撮像装置９４との間に撮影に有害な不要光の入射はないが、撮像装置９４の設置姿勢により、偏光フィルター９５の透過軸と表示装置９１の偏光素子の透過軸とが平行とならない場合がある。また、偏光フィルター９５は、表示装置９１の筺体に取り付けてもよい。この場合、表示装置９１や撮像装置９４を移動した場合でも表示装置９１の偏光素子と偏光フィルター９５の透過軸の角度が変わらないため、撮像装置９４の撮影画角から偏光フィルター９５が外れないように撮像装置９４を設置することにより、撮像装置９４の設置における自由度を増すことができ、撮像装置９４の設置自体が容易となる。
【００５５】
このように、本実施形態によれば、撮像システム（遊技機１００）は、自装置が出射する光から偏光成分を透過させる第１偏光素子（出射側偏光フィルム１１７）を有する表示装置９１と、第１偏光素子（出射側偏光フィルム１１７）が透過させた光の一部を反射し、被写体（遊技者２００）が反射した光を透過させる透光性部材（ガラス扉９２）と、を備える。また、撮像システム（遊技機１００）は、透光性部材（ガラス扉９２）において反射された第１偏光素子（出射側偏光フィルム１１７）が透過させた光、および透光性部材（ガラス扉９２）において透過され被写体（遊技者２００）が反射した光のうち、第１偏光素子（出射側偏光フィルム１１７）の偏光透過軸と平行な偏光透過軸の光を透過させる第２偏光素子（偏光フィルター３）と、第２偏光素子（偏光フィルター３）が透過した光を電気信号に変換する撮像装置９４と、を備える。
【００５６】
これにより、表示装置と表示装置に隣接して設置された撮像装置とを有し、透光性部材越しに撮影する遊技機１００において、表示装置が表示する画像が表示装置を保護するための透光性部材に鮮明に映り込む環境においても、被写体を鮮明に撮影することができる。
【００５７】
（第４の実施形態）
以下、図面を参照しながら本発明の第４の実施形態について詳しく説明する。
第４の実施形態では、第３の実施形態における遊技機１００ａの表示灯制御部６３ａが表示灯９０の発光を制御する場合について説明する。
図１０は、本実施形態に係る遊技機１００ａの構成の一例を示す概略ブロック図である。
遊技機１００ａは、主制御部５０と、副制御部６０ａと、スピーカー８８と、表示灯９０と、表示装置９１と、撮像装置９４とを含んで構成される。副制御部６０は、払出制御部６１と、音声制御部６２と、表示灯制御部６３ａと、表示制御部６４と、撮像制御部６５と、発射制御部６６とを含んで構成される。
第４の実施形態に係る遊技機１００ａの構成と第３の実施形態に係る遊技機１００の構成とを比較すると、副制御部６０ａにおける表示灯制御部６３ａの動作が異なる。それ以外の構成は同様であるので説明は省略する。
【００５８】
遊技機１００ａは、遊技者２００の遊技への興味を持続させるため、表示灯制御部６３ａが遊技盤９３に取り付けた表示灯９０を制御することで様々な色調で表示灯９０を発光させ色鮮やかな演出を行う。表示灯９０の発光は、一定ではなく、目まぐるしく色調を変えることで演出の効果を向上させている。
遊技機１００ａに組み込んだ撮像装置９４で遊技者２００を撮影すると、表示灯９０の光が遊技者２００を照明することにより、撮像された遊技者２００の画像における色調は、撮像時の表示灯９０の発光色の影響を受ける。特に、遊技機１００ａを設置している店舗の照明（図示せず）が表示灯９０に比べて暗い場合、撮影画像は、遊技者２００の近傍で発光する表示灯９０の発光色の影響を大きく受け、撮影画像における遊技者２００が不自然な色調となる。
ＣＭＯＳ撮像素子の露光制御方式は、例えば、グローバルシャッター方式とローリングシャッター方式とがある。小型かつ安価な撮像素子の多くは、機器に組み込みが容易であるため、ローリングシャッター方式を採用している。
【００５９】
図１２は、本発明の第４の実施形態に係る表示灯制御部６３ａが表示灯９０を制御するときの一例を示すタイミングチャートである。
ローリングシャッター方式は、露光トリガに応じて撮像素子を構成するアレー状に並んだ画素の上部ラインから順に露光を開始する。つまり、画像が撮影される時間は、ラインごとに異なる。表示灯制御部６３ａは、撮像装置９４のすべての画素が露光する時間Ｔ１に、表示灯９０を演出に依らず所定の色（例えば、発光色が白色）で発光させる制御を行う。表示灯制御部６３ａは、撮像装置９４のすべての画素が露光しない時間Ｔ２に、演出に適した色調で個々の表示灯９０を発光させる制御を行う。
【００６０】
これにより、撮像装置９４のすべての画素が露光している時間Ｔ１に合わせて、表示灯制御部６３ａが表示灯９０をパルス的に所定色で発光させ、撮像装置９４のすべての画素が露光しない時間Ｔ２に、演出に適した色調で個々の表示灯９０を発光させる制御を行うことにより、遊技機１００ａに欠かせない、色鮮やかな表示灯９０による演出を行いながら、所定の照明色で撮像装置９４が遊技者２００を撮像でき、撮像装置９４が撮影した遊技者２００の画像を表示制御部６４が表示装置９１に表示させる際に、違和感のない色調で表示させることができる。また、撮像画像の色情報を用いて、画像処理、画像中の物体検出処理、および各種認識処理を行う際にも、演出のための表示灯９０の発光色による影響がない処理ができる。また、撮像画像の自然な色合いを考慮すると、表示灯９０の時間Ｔ１における発光色は白が望ましい。また、時間Ｔ１の繰返し周波数、すなわち、撮像のフレームレートは、肉眼でちらつきを感じない３０フレーム／秒以上が望ましい。
【００６１】
このように、本実施形態によれば、撮像システム（遊技機１００ａ）は、自装置が出射する光から偏光成分を透過させる第１偏光素子（出射側偏光フィルム１１７）を有する表示装置９１と、第１偏光素子（出射側偏光フィルム１１７）が透過させた光の一部を反射し、被写体（遊技者２００）が反射した光を透過させる透光性部材（ガラス扉９２）と、を備える。また、撮像システム（遊技機１００ａ）は、透光性部材（ガラス扉９２）において反射され第１偏光素子（出射側偏光フィルム１１７）が透過させた光と透光性部材（ガラス扉９２）において透過され被写体（遊技者２００）が反射した光とのうち、第１偏光素子（出射側偏光フィルム１１７）の偏光透過軸と平行な偏光透過軸の光を透過させる第２偏光素子（偏光フィルター９５）と、第２偏光素子（偏光フィルター９５）が透過した光を電気信号に変換する撮像装置９４と、を備える。
【００６２】
これにより、透光性部材越しに撮像装置が被写体を撮影する遊技機１００ａにおいて、表示装置９１が表示する画像が表示装置９１を保護するための透光性部材（ガラス扉９２）に映り込む環境においても、遊技者２００を撮影することができ、被写体を撮影する確度を向上させることができる。
【００６３】
表示装置９１の周辺に配置される照明装置（表示灯９０）と、照明装置（表示灯９０）を制御する制御部（表示灯制御部６３ａ）と、をさらに備え、制御部（表示灯制御部６３ａ）は、撮像装置９４が備える撮像素子の露光タイミングに基づいて照明装置（表示灯９０）を発光させる制御を行う。
【００６４】
これにより、露光タイミングを制御して表示灯９０を発光させることにより、演出に用いる表示灯９０を撮像装置９４の照明装置として代用でき、表示灯９０を用いた演出による撮影画像における被写体（遊技者２００）の色に違和感のない色調で表示させることができる。
【００６５】
なお、上述した実施形態における表示装置、撮像装置の一部、または全部をコンピュータで実現するようにしても良い。その場合、この制御機能を実現するためのプログラムをコンピュータ読み取り可能な記憶媒体に記憶して、この記憶媒体に記憶されたプログラムをコンピュータシステムに読み込ませ、実行することによって実現しても良い。なお、ここでいう「コンピュータシステム」とは、表示装置、撮像装置に内蔵されたコンピュータシステムであって、ＯＳや周辺機器などのハードウェアを含むものとする。
【００６６】
また、「コンピュータ読み取り可能な記憶媒体」とは、フレキシブルディスク、光磁気ディスク、ＲＯＭ、ＣＤ−ＲＯＭなどの可搬媒体、コンピュータシステムに内蔵されるハードディスクなどの記憶装置のことをいう。さらに「コンピュータ読み取り可能な記憶媒体」とは、インターネットなどのネットワークや電話回線などの通信回線を介してプログラムを送信する場合の通信線のように、短時間、動的にプログラムを保持するもの、その場合のサーバやクライアントとなるコンピュータシステム内部の揮発性メモリのように、一定時間プログラムを保持しているものも含んでも良い。
【００６７】
また上記プログラムは、前述した機能の一部を実現するためのものであっても良く、さらに前述した機能をコンピュータシステムにすでに記憶されているプログラムとの組み合わせで実現できるものであっても良い。
【００６８】
また、上述した実施形態における表示装置、撮像装置の一部、または全部を、ＬＳＩ（Ｌａｒｇｅ  Ｓｃａｌｅ  Ｉｎｔｅｇｒａｔｉｏｎ）などの集積回路として実現しても良い。表示装置、撮像装置の各機能ブロックは個別にプロセッサ化してもよいし、一部、または全部を集積してプロセッサ化しても良い。また、集積回路化の手法はＬＳＩに限らず専用回路、または汎用プロセッサで実現しても良い。また、半導体技術の進歩によりＬＳＩに代替する集積回路化の技術が出現した場合、当該技術による集積回路を用いても良い。
【００６９】
以上、図面を参照してこの発明の一実施形態について詳しく説明してきたが、具体的な構成は上述のものに限られることはなく、この発明の要旨を逸脱しない範囲内において様々な設計変更などをすることが可能である。
【００７０】
撮像システムは、自装置が出射する光から偏光成分を透過させる第１偏光素子を有する表示装置と、第１偏光素子が透過させた光の一部を反射し、被写体が反射した光を透過させる透光性部材と、透光性部材において反射された第１偏光素子が透過させた光、および透光性部材において透過され被写体が反射した光のうち、第１偏光素子の偏光透過軸と平行な偏光透過軸の光を透過させる第２偏光素子と、第２偏光素子が透過した光を電気信号に変換する撮像装置と、を備えることを特徴とする。
【００７１】
撮像システムにおいて第２偏光素子は、表示装置が有する第１偏光素子の一部として構成されることを特徴とする。
【００７２】
撮像システムにおいて第２偏光素子は、撮像装置の光軸上における透光性部材と撮像装置との間の光軸上に配置されることを特徴とする。
【００７３】
撮像システムにおいて第２偏光素子は、表示装置と一体に構成されることを特徴とする。
【００７４】
撮像システムにおいて撮像装置は、自装置への入射光量に応じ、表示装置の輝度制御を行うことを特徴とする。
【００７５】
撮像システムにおいて透光性部材は、第１偏光素子が透過させた光の一部を透過させて、被写体へ導き、撮像装置は、表示装置の画素値をフレームごとに積算することで明るさ評価値を算出し、当該明るさ評価値と予め記憶された目標値とに基づいて表示装置が出射する光の輝度を制御することを特徴とする。
【００７６】
撮像システムにおいて表示装置の周辺に配置される照明装置と、照明装置を制御する制御部と、をさらに備え、制御部は、撮像装置が備える撮像素子の露光タイミングに基づいて照明装置を発光させる制御を行うことを特徴とする。
【符号の説明】
【００７７】
Ｓ１、Ｓ２・・・撮像システム、１、１ａ・・・表示装置、２、２ａ・・・撮像装置、３・・・偏光フィルター（第２偏光素子）、４・・・ショーウインドウ（透光性部材）、５・・・被写体、１１・・・表示部、１２、１２ａ・・・表示制御部、１３・・・画像記憶部、１４・・・記憶部、２１・・・レンズ、２２・・・撮像部、２３、２３ａ・・・撮像制御部、２４・・・画像蓄積部、１１１ａ・・・偏光フィルター、１１２ａ・・・偏光フィルター、１１３ａ・・・液晶モジュール、１１０・・・入射側出射側偏光フィルム、１１１・・・ガラス基盤、１１２・・・透明電極、１１３・・・配向膜、１１４・・・液晶、１１５・・・カラーフィルター、１１６・・・ガラス基盤、１１７・・・出射側偏光フィルム（第１偏光素子）、１１８・・・領域、８８・・・スピーカー、８９・・・釘、９０・・・表示灯、９１・・・表示装置、９２・・・ガラス扉（透光性部材）、９３・・・遊技盤、９４・・・撮像装置、９５・・・偏光フィルター（第２偏光素子）、９６・・・ガイドレール、９７・・・遊技領域、９８・・・カバー、９９・・・始動口、１００・・・遊技機、２００・・・遊技者、５０・・・主制御部、６０・・・副制御部、６１・・・払出制御部、６２・・・音声制御部、６３、６３ａ・・・表示灯制御部（制御部）、６４・・・表示制御部、６５・・・撮像制御部、６６・・・発射制御部
【図１】
2014171810.tif 000003
【図２】
2014171810.tif 000004
【図３】
2014171810.tif 000005
【図４】
2014171810.tif 000006
【図５】
2014171810.tif 000007
【図６】
2014171810.tif 000008
【図７】
2014171810.tif 000009
【図８】
2014171810.tif 000010
【図９】
2014171810.tif 000011
【図１０】
2014171810.tif 000012
【図１１】
2014171810.tif 000013
【図１２】
2014171810.tif 000014